(57)【要約】【課題】ローラの清掃のし易さを向上させる。【解決手段】媒体を搬送する搬送路を備える筺体フレームと、媒体の磁気を検出する磁気センサ３４と、媒体を磁気センサに当接させながら走行させるローラ３６と、ローラを磁気センサの方向に付勢する付勢部材（スプリング３５Ｂ）と、付勢部材を支持する支持部材（スプリングケース３５Ｃ）とを有し、支持部材は、付勢部材を支持する支持部と、筺体フレーム（例えば、筺体フレームを構成する下部ユニット２３）から取り外し自在な状態で嵌合する嵌合部とを備える。【選択図】図５
2016224788.tif 000002
【特許請求の範囲】
【請求項１】
媒体を鑑別する媒体鑑別装置において、
前記媒体を搬送する搬送路を備える筺体フレームと、
前記媒体の磁気を検出する磁気センサと、
前記媒体を前記磁気センサに近接させながら走行させるローラと、
前記ローラを前記磁気センサの方向に付勢する付勢部材と、
前記付勢部材を支持する支持部材とを有し、
前記支持部材は、
前記付勢部材を支持する支持部と、
前記筺体フレームから取り外し自在な状態で嵌合する嵌合部とを備える
ことを特徴とする媒体鑑別装置。
【請求項２】
請求項１に記載の媒体鑑別装置において、
前記筺体フレームは、突起部を備えており、
前記嵌合部は、前記突起部に形成された取付部と嵌合するスナップフィットとして構成されている
ことを特徴とする媒体鑑別装置。
【請求項３】
請求項１に記載の媒体鑑別装置において、
前記筺体フレームは、突起部を備えており、
前記嵌合部は、前記突起部に形成された取付部と嵌合する溝として構成されている
ことを特徴とする媒体鑑別装置。
【請求項４】
請求項１乃至請求項３のいずれか一項に記載の媒体鑑別装置において、
さらに、前記ローラの回転軸を支持する軸受と一体に樹脂で構成された押付部を有する
ことを特徴とする媒体鑑別装置。
【請求項５】
請求項４に記載の媒体鑑別装置において、
前記押付部は、前記ローラと前記磁気センサとを前記媒体の厚さと同等の間隔まで近接させる位置決め部を備える
ことを特徴とする媒体鑑別装置。
【請求項６】
請求項２又は請求項３に記載の媒体鑑別装置において、
さらに、前記ローラの回転軸を支持する軸受と一体に樹脂で構成された押付部を有し、
前記筺体フレームの内部には、前記押付部を収納するための、前記押付部の外径よりも広く開口された開口部が形成されており、
前記取付部は、前記開口部の内部に配置されている
ことを特徴とする媒体鑑別装置。
【請求項７】
媒体を鑑別する媒体鑑別装置において、
前記媒体の磁気を検出する磁気センサと、
前記媒体を前記磁気センサに近接させながら走行させるローラと、
前記ローラの回転軸と、
前記回転軸を支持する軸受と、
前記軸受と一体に構成された押付部とを有し、
前記押付部は、前記ローラと前記磁気センサとを前記媒体の厚さと同等の間隔まで近接させる位置決め部を備える
ことを特徴とする媒体鑑別装置。
【請求項８】
請求項１乃至請求項７のいずれか一項に記載の媒体鑑別装置と、媒体を搬送する搬送部とを有する
ことを特徴とする媒体取扱装置。
【発明の詳細な説明】
【技術分野】
【０００１】
本発明は、媒体を鑑別する媒体鑑別装置、及び、当該媒体鑑別装置を搭載する媒体取扱装置に関する。
【背景技術】
【０００２】
従来から、媒体を鑑別する媒体鑑別装置を搭載する媒体取扱装置が様々な場所で使用されている。例えば、銀行や信用金庫、郵便局等の金融機関、ショッピングモールやスーパーマーケット、コンビニエンスストア等の流通機関には、媒体取扱装置として、顧客の操作に基づいて紙幣の入出金取引を自動的に行う現金自動預け払い機（ＡＴＭ）や、金種判別による紙幣の金種分類処理や汚損判別による紙幣の正常損傷分類処理を自動的に行う現金処理機が設置されている。ここでは、媒体取扱装置が現金自動預け払い機として構成されている場合を想定して説明する。
【０００３】
現金自動預け払い機は、例えば、顧客との間で紙幣の授受を行う紙幣入出金口と、投入された紙幣の金種や真偽を鑑別する媒体鑑別装置（鑑別部）と、投入された紙幣を一時的に保留する一時保留部と、再利用可能な正常紙幣を金種毎に収納する紙幣収納庫と、再利用不能なリジェクト紙幣を収納するリジェクト庫とを有している。
【０００４】
現金自動預け払い機は、入金取引において、顧客が紙幣入出金口に紙幣を投入すると、投入された紙幣を媒体鑑別装置（鑑別部）で鑑別し、取引可能な正常紙幣として鑑別された紙幣を一時保留部で保留する一方、取引不能な非正常紙幣として鑑別された紙幣を紙幣入出金口に戻して顧客に返却する。そして、現金自動預け払い機は、顧客の操作により入金金額が確定されると、一時保留部に保留された紙幣を媒体鑑別装置（鑑別部）で再鑑別し、再利用可能な正常紙幣として鑑別された紙幣を該当金種の紙幣収納庫に収納し、再利用不能なリジェクト紙幣として鑑別された紙幣をリジェクト庫に収納する。
【０００５】
ところで、紙幣の中には、所定の箇所に磁気インクを印刷されたものがある。そこで、媒体鑑別装置（鑑別部）として、磁気センサを用いて磁気インクが印刷された部位（磁気インク部）の磁気を検出し、検出結果を紙幣の種類や真偽等の判別に用いる装置が、普及している。
【０００６】
その媒体鑑別装置（鑑別部）では、一般に、磁気センサから磁気インク等の磁性体までの距離が長くなると、磁界の変化が小さくなるため、磁気センサの検出精度が低下する。そこで、媒体鑑別装置（鑑別部）として、回転自在に支持されたガイドローラを磁気センサの近傍に配置し、ガイドローラで紙幣を磁気センサの検出面に押し付けることによって、磁気センサの検出精度を向上させた装置が、開示されている（例えば、特許文献１参照）。
【先行技術文献】
【特許文献】
【０００７】
【特許文献１】特許第５４７２５２３号公報（第３図）
【発明の概要】
【発明が解決しようとする課題】
【０００８】
しかしながら、従来の媒体鑑別装置は、ローラの清掃のし易さを向上させることが望まれている、という課題があった。
【０００９】
例えば、多数の汚れた紙幣を日常的に搬送する現金自動預け払い機では、鉄粉等の磁性を有する塵埃が発生し易い。現金自動預け払い機に搭載された媒体鑑別装置では、その塵埃がガイドローラに付着した場合に、塵埃の磁気ノイズによって、磁気センサの検出精度が低下する。
【００１０】
一般に、ガイドローラの外周面は、搬送路の搬送面に表出するため、保守時に、搬送路の搬送面から容易に清掃することができる。しかしながら、ガイドローラの側面やガイドローラの回転軸は、搬送路の搬送面に表出しないため、搬送路の搬送面から清掃することが困難である。したがって、ガイドローラの側面やガイドローラの回転軸の清掃は、装置からガイドローラを取り外すことによって行われている。
【００１１】
しかしながら、従来の媒体取扱装置は、装置からガイドローラを取り外す際に、例えば、磁石を有するねじ回し用のドライバー等の工具を用いる必要があり、容易には、装置からガイドローラを取り外すことができなかった。
【００１２】
また、一般に、ガイドローラは、紙幣を磁気センサの検出面に押し付ける押圧力が強過ぎると、磁気センサの検出面の摩耗を進行させてしまう。磁気センサは、比較的高価であるため、検出面の摩耗を抑制することが望まれている。したがって、ガイドローラは、押圧力が強過ぎないようにする必要がある。その一方で、ガイドローラは、押圧力が弱過ぎると、磁気センサの検出精度を低下させてしまう。そのため、ガイドローラは、適正な押圧力で紙幣を磁気センサの検出面に押し付ける必要がある。
【００１３】
しかしながら、従来の媒体取扱装置は、容易には、適正な押圧力が紙幣にかかるように、ガイドローラを装置に取り付けることができなかった。
【００１４】
従来の媒体取扱装置では、これらの要因によって、ガイドローラの清掃のし易さを低下させていた。なお、従来の媒体取扱装置では、ガイドローラ以外の他のローラでも、同様の課題があった。
【００１５】
本発明は、前記した課題を解決するためになされたものであり、ローラの清掃のし易さを向上させた媒体鑑別装置、及び、媒体取扱装置を提供することを主な目的とする。
【課題を解決するための手段】
【００１６】
前記目的を達成するため、第１発明は、媒体を鑑別する媒体鑑別装置であって、前記媒体を搬送する搬送路を備える筺体フレームと、前記媒体の磁気を検出する磁気センサと、前記媒体を前記磁気センサに近接させながら走行させるローラと、前記ローラを前記磁気センサの方向に付勢する付勢部材と、前記付勢部材を支持する支持部材とを有し、前記支持部材は、前記付勢部材を支持する支持部と、前記筺体フレームから取り外し自在な状態で嵌合する嵌合部とを備える構成とする。
【００１７】
この媒体鑑別装置は、嵌合部による筺体フレームとの嵌合を任意に解くことで、筺体フレームから支持部材を取り外すことができる。これにより、この媒体鑑別装置は、装置から付勢部材及びローラを容易に取り外すことができる。そのため、この媒体鑑別装置は、ローラの清掃のし易さを向上させることができる。
【００１８】
また、第２発明は、媒体を取り扱う媒体取扱装置であって、第１発明に係る媒体鑑別装置と、媒体を搬送する搬送部とを有する構成とする。
【発明の効果】
【００１９】
本発明によれば、ローラの清掃のし易さを向上させることができる。
【図面の簡単な説明】
【００２０】
【図１】実施形態１に係る媒体鑑別装置を搭載する媒体取扱装置の外部構成を示す図である。
【図２】実施形態１に係る媒体鑑別装置を搭載する媒体取扱装置の内部構成を示す図である。
【図３】実施形態１に係る媒体鑑別装置の全体の概略構成を示す図（１）である。
【図４】実施形態１に係る媒体鑑別装置の全体の概略構成を示す図（２）である。
【図５】実施形態１に係る媒体鑑別装置の磁気検出部付近の構成を模式的に示す図（１）である。
【図６】実施形態１に係る媒体鑑別装置の磁気検出部付近の構成を模式的に示す図（２）である。
【図７】実施形態１に係る媒体鑑別装置の支持部材の構成を示す図である。
【図８】実施形態１に係る媒体鑑別装置のガイドローラの取り外し方法の一例を示す図（１）である。
【図９】実施形態１に係る媒体鑑別装置のガイドローラの取り外し方法の一例を示す図（２）である。
【図１０】実施形態１に係る媒体鑑別装置のガイドローラの取り外し方法の一例を示す図（３）である。
【図１１】実施形態２に係る媒体鑑別装置の磁気検出部付近の構成を模式的に示す図である。
【図１２】実施形態２に係る媒体鑑別装置の支持部材の構成を示す図である。
【図１３】実施形態２に係る媒体鑑別装置の下部ユニットと支持部材との関係を示す図である。
【図１４】実施形態３に係る媒体鑑別装置の磁気検出部付近の構成を模式的に示す図である。
【図１５】実施形態３に係る媒体鑑別装置の支持部材の構成を示す図である。
【図１６】実施形態３に係る媒体鑑別装置の下部ユニットと支持部材との関係を示す図である。
【発明を実施するための形態】
【００２１】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００２２】
［実施形態１］
＜媒体取扱装置の構成＞
以下、図１及び図２を参照して、本実施形態１に係る媒体鑑別装置１３（図２参照）を搭載する媒体取扱装置１の構成につき説明する。図１は、媒体取扱装置１の外部構成を示す図である。また、図２は、媒体取扱装置１の内部構成を示す図である。
【００２３】
ここでは、媒体が紙幣であり、また、媒体取扱装置１が現金自動預け払い機（ＡＴＭ）として構成されている場合を想定して説明する。以下、「媒体」を「紙幣」と称し、媒体取扱装置１を「現金自動預け払い機１」と称する。
【００２４】
図１に示すように、媒体取扱装置である現金自動預け払い機１は、箱状に形成された筐体２の前面２Ａ側に、接客部３を有している。接客部３は、顧客との間で現金や通帳等を授受したり、顧客からの操作を受け付けたりするための機構である。接客部３は、筐体２の前面２Ａの上部に設けられている。
【００２５】
接客部３は、硬貨入出金口４、紙幣入出金口５、通帳挿入口６、カード挿入口７、及び、表示操作部８を備えている。
【００２６】
硬貨入出金口４及び紙幣入出金口５は、現金としての硬貨及び紙幣がそれぞれ投入又は排出される部位である。硬貨入出金口４及び紙幣入出金口５は、それぞれ、開閉可能なシャッタによって、選択的に閉鎖又は開放される構成になっている。
通帳挿入口６は、通帳が挿入又は排出される部位である。通帳挿入口６の奥部には、取引内容等を通帳に記録する通帳処理部（図示せず）が配置されている。
カード挿入口７は、キャッシュカード等の各種カードが挿入又は排出される部位である。カード挿入口７の奧部には、カードに記録された口座番号等の情報の読み取りを行うカード処理部（図示せず）が配置されている。
表示操作部８は、情報を表示したり、顧客からの操作を受け付けたりする部位である。表示操作部８は、情報を表示するディスプレイと、取引の種類や暗証番号、取引金額等の取引情報を入力するタッチパネルとが一体化された構成になっている。
【００２７】
筐体２の前面２Ａ側や背面側の一部分の壁面は、開閉可能な扉によって構成されている。扉は、取引動作時に、閉鎖され、筐体２の内部に保有された紙幣や硬貨等の現金を保護する。一方、扉は、保守時に、開放され、筐体２の内部の各部に対する保守作業の実行を可能にする。
【００２８】
図２は、図１に示す矢印Ａの方向から見た、現金自動預け払い機１の内部の、主に紙幣の処理に関する部分の構成を示している。図２に示すように、現金自動預け払い機１は、内部に、制御部１０、搬送部１２、鑑別部１３、一時保留部１４、及び、紙幣貯蔵部１５を有している。
【００２９】
制御部１０は、各部の動作を制御する機能手段である。
搬送部１２は、搬送路に沿って各部に紙幣を搬送する構成要素である。搬送部１２は、図示せぬモータや、ギヤ、プーリ、ベルト等で構成されている。ここでは、搬送部１２が紙幣の短辺方向を進行方向として搬送する場合を想定して説明する。
鑑別部１３は、紙幣の金種や真偽を鑑別する構成要素である。鑑別部１３は、本実施形態１に係る媒体鑑別装置によって構成されている。以下、鑑別部１３を「媒体鑑別装置１３」と称する場合がある。
一時保留部１４は、入金された紙幣を一時的に保留する構成要素である。
紙幣貯蔵部１５は、紙幣を金種別に貯蔵する構成要素である。紙幣貯蔵部１５は、複数の紙幣収納庫１６、及び、リジェクト庫１７を備えている。紙幣収納庫１６は、鑑別部１３によって損傷していないと鑑別された紙幣を金種毎に収納する収納庫である。リジェクト庫１７は、鑑別部１３によって損傷していると鑑別された紙幣を金種毎に収納する収納庫である。
【００３０】
＜媒体鑑別装置（鑑別部）の全体の構成＞
以下、図３及び図４を参照して、鑑別部を構成する媒体鑑別装置１３の全体の構成につき説明する。図３及び図４は、それぞれ、媒体鑑別装置１３の全体の概略構成を示す図である。図３は、左側から見た構成を示しており、また、図４は、上側から見た構成を示している。
【００３１】
図３に示すように、媒体鑑別装置１３は、上部ユニット２２と下部ユニット２３とによって形成された直方体状の筺体フレーム２１を有している。なお、図３は、説明の都合上、筺体フレーム２１の左側の壁面を省略して、内部の構成を模式的に示している。筺体フレーム２１の内部の上部ユニット２２と下部ユニット２３との間には、搬送路２４が形成されている。媒体鑑別装置１３は、制御部２０の制御に基づいて、搬送路２４に沿って紙幣を前方向又は後方向に走行させながら、紙幣の鑑別処理を行う。
【００３２】
媒体鑑別装置１３は、筺体フレーム２１の内部に、第１搬送部２５、磁気検出部２６、第２搬送部２７、光学検出部２８、及び、厚み検出部２９を有している。
第１搬送部２５及び第２搬送部２７は、紙幣を搬送する構成要素である。
磁気検出部２６は、紙幣に埋め込まれた磁気情報を検出する構成要素である。
光学検出部２８は、紙幣の画像を検出する構成要素である。
厚み検出部２９は、紙幣の厚みを検出する構成要素である。
【００３３】
各構成要素は、媒体鑑別装置１３の後側から前側に向かって、順に配置されている。また、各構成要素は、現金自動預け払い機１の内部における設置スペース上の制約や、紙幣を短辺方向に確実に搬送するための搬送上の制約等により、筺体フレーム２１の内部で、互いに前後方向に近接して配置されている。以下、各構成要素の具体的な構成につき説明する。
【００３４】
（第１搬送部の構成）
図３に示す例では、第１搬送部２５は、搬送路２４の下側に、搬送ローラ３１を備えているとともに、搬送路２４の上側に、軸３２、及び、テンションローラ３３を備えている。
【００３５】
搬送ローラ３１は、複数（ただし、テンションローラ３３の数と同じ数）の円環状に形成されたゴムローラ３１Ｂを、細長い円柱状に形成された軸３１Ａで貫通させた構成になっている。一方、テンションローラ３３は、円環状に形成されており、その中心が軸３２によって貫通された構成になっている。
【００３６】
搬送ローラ３１の軸３１Ａは、図示せぬ駆動ギヤ等の伝達機構に連結されている。また、搬送ローラ３１のゴムローラ３１Ｂは、搬送路２４（図３参照）の下側に、テンションローラ３３と対向するように配置されている。ゴムローラ３１Ｂは、軸３１Ａと一体に回転するように構成されている。第１搬送部２５は、紙幣の搬送時に、伝達機構を介して図示せぬ駆動モータから駆動力を軸３１Ａに伝達させる。これによって、第１搬送部２５は、軸３１Ａとともにゴムローラ３１Ｂを回転させて、紙幣を搬送する。
【００３７】
図４に示す例では、第１搬送部２５は、１本の軸３２で２つのテンションローラ３３を貫通させた構成の２組のローラ部材が搬送路２４（図３参照）の上側に左右に分かれて配置された構成になっている。軸３２は、細長い円柱状に形成されている。軸３２は、筺体フレーム２１に対して上下方向に揺動可能に保持されており、図示せぬスプリングによって搬送ローラ３１のゴムローラ３１Ｂに押し付けられている。
【００３８】
テンションローラ３３は、図示せぬ内輪、ボール、及び、外輪が組み合わされており、いわゆる、ボールベアリングと同様の構成になっている。図示せぬ内輪、ボール、及び、外輪は、いずれも磁性を有する金属材料によって構成されている。また、図示せぬ内輪は、軸３２によって貫通されている。
【００３９】
軸３２は、紙幣の搬送時に、回転せずに、停止した状態になっている。第１搬送部２５は、紙幣の搬送時に、搬送ローラ３１のゴムローラ３１Ｂの回転に従動して、テンションローラ３３が軸３２の周囲を周方向に回転する。
【００４０】
このような、第１搬送部２５は、紙幣の搬送時に、搬送ローラ３１のゴムローラ３１Ｂとテンションローラ３３とが回転することにより、搬送路２４に沿って前方向又は後方向に紙幣を搬送する。
【００４１】
（磁気検出部の構成）
図３に示す例では、磁気検出部２６は、搬送路２４の上側に、磁気センサ３を備えているとともに、搬送路２４の下側に、押付部３５、及び、ガイドローラ３６を備えている。
磁気センサ３４は、紙幣の磁気を検出する検知手段である。
押付部３５は、ガイドローラ３６の回転軸３６Ａを支持する軸受３５Ａと一体に樹脂で構成された部材である。
ガイドローラ３６は、紙幣を磁気センサ３４の検出面に近接させながら走行させる部材である。
【００４２】
図４に示すように、磁気センサ３４は、左右方向に長い直方体状に形成されている。磁気センサ３４の検出面（ここでは、下面）には、磁気検出素子３４Ａ（図３参照）が配置されている。磁気センサ３４は、搬送路２４を搬送される紙幣の磁気を磁気検出素子３４Ａで検出し、検出結果を制御部２０に出力する。
磁気検出部２６の詳細な構成については、後記する。
【００４３】
（第２搬送部の構成）
図３に示す例では、第２搬送部２７は、搬送路２４の下側に、搬送ローラ３７を備えているとともに、搬送路２４の上側に、軸３８、及び、テンションローラ３９を備えている。
【００４４】
搬送ローラ３７は、第１搬送部２５の搬送ローラ３１と同様の構成になっている。すなわち、搬送ローラ３７は、複数（ただし、テンションローラ３９の数と同じ数）の円環状に形成されたゴムローラ３７Ｂを、細長い円柱状に形成された軸３７Ａで貫通させた構成になっている。一方、テンションローラ３９は、第１搬送部２５のテンションローラ３３と同様の構成になっている。すなわち、テンションローラ３９は、円環状に形成されており、その中心が軸３８によって貫通された構成になっている。
【００４５】
搬送ローラ３７の軸３７Ａは、図示せぬ駆動ギヤ等の伝達機構に連結されている。また、搬送ローラ３７のゴムローラ３７Ｂは、搬送路２４（図３参照）の下側に、テンションローラ３９と対向するように配置されている。ゴムローラ３７Ｂは、軸３７Ａと一体に回転するように構成されている。第２搬送部２７は、紙幣の搬送時に、伝達機構を介して図示せぬ駆動モータから駆動力を軸３７Ａに伝達させる。これによって、第２搬送部２７は、軸３７Ａとともにゴムローラ３７Ｂを回転させて、紙幣を搬送する。
【００４６】
図４に示す例では、第２搬送部２７は、第１搬送部２５と同様の構成になっている。すなわち、第２搬送部２７は、１本の軸３８で２つのテンションローラ３９を貫通させた構成の２組のローラ部材が搬送路２４（図３参照）の上側に左右に分かれて配置された構成になっている。軸３８は、細長い円柱状に形成されている。軸３８は、筺体フレーム２１に対して上下方向に揺動可能に保持されており、図示せぬスプリングによって搬送ローラ３７のゴムローラ３７Ｂに押し付けられている。
【００４７】
テンションローラ３９は、第１搬送部２５のテンションローラ３３と同様に、図示せぬ内輪、ボール、及び、外輪が組み合わされており、いわゆる、ボールベアリングと同様の構成になっている。図示せぬ内輪、ボール、及び、外輪は、いずれも磁性を有する金属材料によって構成されている。また、図示せぬ内輪は、軸３８によって貫通されている。
【００４８】
軸３８は、紙幣の搬送時に、回転せずに、停止した状態になっている。第２搬送部２７は、紙幣の搬送時に、搬送ローラ３７のゴムローラ３７Ｂの回転に従動して、テンションローラ３９が軸３８の周囲を周方向に回転する。
【００４９】
このような、第２搬送部２７は、紙幣の搬送時に、搬送ローラ３７のゴムローラ３７Ｂとテンションローラ３９とが回転することにより、搬送路２４に沿って前方向又は後方向に紙幣を搬送する。
【００５０】
（光学検出部の構成）
図３に示す例では、光学検出部２８は、搬送路２４の上側に、画像センサ２８Ａを備えているとともに、搬送路２４の下側に、画像センサ２８Ｂを備えている。画像センサ２８Ａ，２８Ｂは、それぞれ、検知結果として紙幣の画像パターンを取得し、取得された画像パターンを制御部２０に出力する。
【００５１】
制御部２０は、磁気検出部２６による検出結果と光学検出部２８による検出結果とに基づいて、紙幣の金種や真偽を鑑別する。
【００５２】
（厚み検出部の構成）
図３に示す例では、厚み検出部２９は、搬送路２４の下側に、基準ローラ４１を備えているとともに、搬送路２４の上側に、厚み検出ローラ４２を備えている。
【００５３】
基準ローラ４１は、磁性を有する金属材料によって構成されている。基準ローラ４１は、円環状に形成されたローラ部と細長い円柱状に形成された軸４１Ａとを一体化させた構成になっている。軸４１Ａは、ローラ部の中心を貫通する構成になっている。軸４１Ａは、厚み検出部２９の筐体２９Ａによって回転自在に支持されている。基準ローラ４１のローラ部は、厚み検出ローラ４２のローラ部と対向するように配置されている。
【００５４】
厚み検出ローラ４２は、基準ローラ４１と同様に、磁性を有する金属材料によって構成されている。厚み検出ローラ４２は、円環状に形成されたローラ部と細長い円柱状に形成された軸４２Ａとを一体化させた構成になっている。
【００５５】
図４に示す例では、厚み検出部２９は、１本の軸４２Ａで２つの厚み検出ローラ４２を貫通させた構成の５組のローラ部材を搬送路２４（図３参照）の上側に配置された構成になっている。各ローラ部材は、１組ずつブラケット４３（図３参照）の内部に取り付けられている。したがって、図４に示す例では、５つのブラケット４３が、搬送路２４の上側に一列に並ぶように、厚み検出部２９の筐体２９Ａに取り付けられた構成になっている。
【００５６】
ブラケット４３は、金属材料で構成されている。ブラケット４３は、例えば、長尺な板材の長手方向の両端部分を同じ方向に折り曲げた形状になっている（図３参照）。ブラケット４３の中央部分は、天板を構成しており、また、ブラケット４３の両端部分は、左右の側板を構成している。
【００５７】
ブラケット４３の左右の側板の前端付近には、軸４２Ａに対応する径の軸孔が穿設されている。ブラケット４３は、軸４２Ａをその軸孔に貫通させることにより、基準ローラ４１のほぼ真上となる位置で、厚み検出ローラ４２を回転自在に支持している。
【００５８】
また、ブラケット４３の左右の側板の後端付近には、回動軸４４に対応する径の軸孔が穿設されている。回動軸４４は、ブラケット４３を回動自在に支持する軸部材である。回動軸４４は、円柱状に形成されている。厚み検出部２９の筐体２９Ａは、その軸孔に貫通された回動軸４４が取り付けられることによって、回動軸４４の周方向にブラケット４３を回動自在に支持している。
【００５９】
厚み検出部２９は、回動軸４４の周方向に各ブラケット４３を回動させることによって、各ブラケット４３に取り付けられた厚み検出ローラ４２を、搬送路２４に対する離接方向（ここでは、上下方向）に変位させることができる。
【００６０】
ブラケット４３の天板と筐体２９Ａの上面との間には、スプリング４５が自然状態から圧縮された状態で取り付けられている。スプリング４５は、その復元力によって、ブラケット４３の天板を搬送路２４に対する近接方向（ここでは、下方向）に付勢している。つまり、スプリング４５は、ブラケット４３を介して、厚み検出ローラ４２を基準ローラ４１の方向（ここでは、下方向）に付勢している。
【００６１】
筐体２９Ａの内部のブラケット４３の上方には、変位センサ４６が配置されている。厚み検出部２９は、紙幣の搬送時に、厚み検出ローラ４２と基準ローラ４１との間で紙幣を挟持する。このとき、ブラケット４３及び厚み検出ローラ４２は、紙幣の厚さに応じて上方向に変位する。変位センサ４６は、厚み検出ローラ４２が基準ローラ４１に当接するときの位置を基準位置とし、ブラケット４３の天板の基準位置からの相対的な変位量を検出し、検出結果を制御部２０に出力する。
【００６２】
制御部２０は、厚み検出部２９による検出結果に基づいて、厚み検出ローラ４２の変位量が紙幣１枚分の厚さに相当するのか又は複数枚分の厚さに相当するのかを判定する。これにより、制御部２０は、紙幣の重走の有無を検出する。
【００６３】
＜磁気検出部の詳細な構成＞
以下、図５〜図７を参照して、磁気検出部２６の詳細な構成につき説明する。図５及び図６は、それぞれ、磁気検出部２６付近の構成を模式的に示す図である。図５は、磁気検出部２６付近を前側から見た構成を示しており、また、図６は、磁気検出部２６付近を左側から見た構成を示している。図７は、ガイドローラ３６を支持する支持部材として機能するスプリングケース３５Ｃの構成を示す図である。図７（ａ）は、スプリングケース３５Ｃの側面視形状を示しており、図７（ｂ）は、スプリングケース３５Ｃの斜視形状、及び、スプリングケース３５Ｃが取り付けられる下部ユニット２３の取付部５５の斜視形状を示している。
【００６４】
図５に示すように、媒体鑑別装置１３は、搬送路２４の下側に、前記した押付部３５とガイドローラ３６とに加え、スプリング３５Ｂと、スプリングケース３５Ｃとを備えている。
【００６５】
スプリング３５Ｂは、押付部３５を介して、ガイドローラ３６を磁気センサ３４の方向（ここでは、上方向）に付勢する付勢部材である。
スプリングケース３５Ｃは、スプリング３５Ｂを支持する支持部材である。
【００６６】
押付部３５は、下部ユニット２３の左端部及び右端部の磁気センサ３４の下側に位置する箇所にそれぞれ設けられている。押付部３５は、樹脂材によって成形されている。本実施形態１では、図５に示すように、押付部３５の前面視形状は、横方向に薄く、縦方向に長い、矩形の形状を呈している。また、図６に示すように、押付部３５の側面視形状は、横幅の異なる２つの矩形部１０１，１０２を横幅の狭いものから順に上下に配置した形状（換言すれば、幅狭な矩形部１０１と幅広な矩形部１０２とを上下に配置した形状）を呈している。
【００６７】
押付部３５の幅広な矩形部１０２の上側の両横部分１０３には、上下方向に延在する矩形の溝が形成されている。以下、両横部分１０３を「溝形成部１０３」と称する。また、押付部３５の幅広な矩形部１０２の上側の溝形成部１０３以外の部分１０４を「厚肉部１０４」と称する。また、押付部３５の幅広な矩形部１０２の下側部分１０５を「厚肉部１０５」と称する。
【００６８】
押付部３５の溝形成部１０３は、下部ユニット２３の突起部５３の内部に形成された案内部２３１（図８（ｂ）参照）の内部に挿入されている。案内部２３１は、押付部３５を上下方向に移動可能に保持するために形成された溝である。
【００６９】
下部ユニット２３は、図６に示すように、突起部５２，５３を備えている。突起部５２，５３は、上側に突出するように、下部ユニット２３の底部５１の上面の左端部及び右端部に形成されている。突起部５２は、前後方向に延在するように形成されている。突起部５２の内部には、開口部２３Ａが形成されている。開口部２３Ａは、押付部３５の外径よりも広くなっている。突起部５３は、開口部２３Ａの内部に下側から突出するように、突起部５２の内部に形成されている。突起部５３は、突起部５２と同様に、前後方向に延在するように形成されている。
【００７０】
突起部５３は、図７（ｂ）に示すように、後記する嵌合部３５Ｄと嵌合する取付部５５を備えている。突起部５３は、取付部５５の下側に位置する部分に、開口部５４が形成されている。
【００７１】
押付部３５は、幅広な矩形部１０２に、軸受３５Ａを備えている。軸受３５Ａは、ガイドローラ３６の回転軸３６Ａを回転自在に支持している。本実施形態１では、軸受３５Ａは、いわゆる樹脂軸受（樹脂ベアリング）として形成されている。すなわち、押付部３５は、ボールベアリングの軸受３５Ａの周囲に樹脂材を射出成形させることによって、軸受３５Ａと一体成形で形成されている。これにより、押付部３５は、軸受３５Ａの嵌め込み部にガタツキのない、高い寸法精度を実現している。
【００７２】
ガイドローラ３６は、円環状に形成されており、その中心が回転軸３６Ａによって貫通された構成になっている。ガイドローラ３６及びその回転軸３６Ａは、非磁性のステンレス材料で構成されている。回転軸３６Ａの外径は、軸受３５Ａの内径よりも若干小さくなっている。
【００７３】
押付部３５は、ガイドローラ３６の位置を規定する位置決め部Ｐ２を備えている。ここでは、押付部３５の幅狭な矩形部１０１の上面が位置決め部Ｐ２として機能するものとして説明する。
【００７４】
位置決め部Ｐ２は、磁気センサ３４（又はその周囲）に形成された位置決め部Ｐ１と当接することによって、ガイドローラ３６の位置を規定する。その位置は、ガイドローラ３６の上端が磁気センサ３４の検出面から紙幣の１枚分の厚さとほぼ同等の間隔Ｇだけ下側となる位置である。また、その位置は、磁気センサ３４の検出面から押付部３５の下面までの距離が所定の距離Ｈとなる位置である。ここでは、磁気センサ３４の検出面の端部部分が位置決め部Ｐ１として機能するものとして説明する。
【００７５】
押付部３５は、ガイドローラ３６の上端が磁気センサ３４の検出面から紙幣の１枚分の厚さとほぼ同等の間隔Ｇだけ下側に位置するように、各部の長さや間隔等が適切に設計された金型に、樹脂材を射出成型することによって、形成されている。
【００７６】
押付部３５は、下部ユニット２３の開口部２３Ａの内部に配置されている。開口部２３Ａの側面視形状は、横幅の異なる２つの矩形部１１１，１１２を幅の狭いものから順に上下に配置した形状を呈している。ただし、下側の矩形部１１２の下部部分は、突起部５３が下側から上側に突出した形状になっている。
【００７７】
開口部２３Ａの上側の矩形部１１１は、下部ユニット２３の突起部５２の内部に形成された案内部２３１（図８（ｂ）参照）と連通している。矩形部１１１は、押付部３５の厚肉部１０４を収納する空間となっている。また、案内部２３１（図８（ｂ）参照）は、押付部３５の溝形成部１０３を収納する空間となっている。矩形部１１１の横幅は、押付部３５の厚肉部１０４の横幅よりも若干幅広な値に設定されている。
【００７８】
また、開口部２３Ａの下側の矩形部１１２は、押付部３５の厚肉部１０５とスプリング３５Ｂとスプリングケース３５Ｃとを収納する空間となっている。矩形部１１２の横幅は、押付部３５の厚肉部１０５の横幅（すなわち、押付部３５の幅広な矩形部１０２の横幅）よりも幅広な値に設定されている。なお、スプリングケース３５Ｃの横幅は、押付部３５の厚肉部１０５の横幅（すなわち、押付部３５の幅広な矩形部１０２の横幅）よりも幅狭な値に設定されている。
【００７９】
押付部３５は、開口部２３Ａ及び案内部２３１（図８（ｂ）参照）に沿って、上下方向に移動可能に配置されている。押付部３５の下方には、スプリング３５Ｂとスプリングケース３５Ｃとが配置されている。
【００８０】
スプリング３５Ｂは、その下端がスプリングケース３５Ｃに形成された支持部３５Ｅに固定されている。また、スプリング３５Ｂは、自然状態から圧縮された状態になっており、その復元力によって押付部３５を上方向に付勢している。これにより、スプリング３５Ｂは、押付部３５の位置決め部Ｐ２を磁気センサ３４の位置決め部Ｐ１に押し付けている。
【００８１】
図７（ａ）及び図７（ｂ）に示すように、スプリングケース３５Ｃは、嵌合部３５Ｄ、支持部３５Ｅ、及び、取り外しツマミ３５Ｆを備えている。
嵌合部３５Ｄは、媒体鑑別装置１３の筺体フレーム２１（具体的には、筺体フレーム２１を構成する下部ユニット２３）から取り外し自在な状態で嵌合する部位である。
支持部３５Ｅは、スプリング３５Ｂを支持する部位である。
取り外しツマミ３５Ｆは、押付部３５を取り外すために形成されたツマミである。
【００８２】
本実施形態１では、スプリングケース３５Ｃがスナップフィット構造になっており、嵌合部３５は、下部ユニット２３の突起部５３に形成された取付部５５に嵌合する部位として形成されている。
【００８３】
スプリングケース３５Ｃは、スナップフィットの嵌合部３５Ｄが取付部５５と嵌合することによって、下部ユニット２３の突起部５３に取り付けられる。これにより、スプリングケース３５Ｃは、押付部３５の上下方向の移動量を制限する。
【００８４】
支持部３５Ｅは、スプリング３５Ｂの径よりも若干大きな径の円形穴として、スプリングケース３５Ｃの上面に形成されている。支持部３５Ｅの内部には、スプリング３５Ｂの下端部分が挿入される。スプリングケース３５Ｃは、上面で押付部３５の上下方向の移動量を制限することができるように、適切に設計されている。
【００８５】
取り外しツマミ３５Ｆは、作業者が指で上下方向から押圧することによって、スナップフィットの嵌合部３５Ｄを開口させる。これにより、作業者は、下部ユニット２３から押付部３５を任意に取り外すことができる。
【００８６】
かかる構成において、押付部３５は、厚肉部１０４が開口部２３Ａの内部に挿入されるとともにように、溝形成部１０３が案内部２３１（図８（ｂ）参照）の内部に挿入されることによって、下部ユニット２３の突起部５２に取り付けられる。
【００８７】
また、スプリングケース３５Ｃは、押付部３５の下側に配置されるように、スプリング３５Ｂの下端が支持部３５Ｅの中に挿入された状態で、開口部２３Ａの内部に挿入される。そして、スプリングケース３５Ｃは、スナップフィットの嵌合部３５Ｄが取付部５５と嵌合することによって、下部ユニット２３の突起部５３に取り付けられる。このようなスプリングケース３５Ｃは、好ましくは、弾性変形をすることができるように、また、成形をし易いように、樹脂材によって形成されているとよい。
【００８８】
また、スプリング３５Ｂの上端は、スプリングケース３５Ｃが下部ユニット２３の突起部５３に取り付けられることによって、押付部３５の下面に当接する。これにより、スプリング３５Ｂは、押付部３５を磁気センサ３４の方向（ここでは、上方向）に付勢する。
【００８９】
このとき、押付部３５は、ガイドローラ３６の上端が磁気センサ３４の検出面から紙幣の１枚分の厚さとほぼ同等の間隔Ｇだけ下側に位置するように、ガイドローラ３６の位置を規制する。これにより、押付部３５は、回転軸３６Ａを介して、軸受３５Ａでガイドローラ３６を回転自在に支持するとともに、ガイドローラ３６を介して、搬送路２４を走行する紙幣を磁気センサ３４の検出面に押し付けるように機能する。
【００９０】
このような媒体鑑別装置１３は、押付部３５によって、ガイドローラ３６の上端が磁気センサ３４の検出面から紙幣の１枚分の厚さとほぼ同等の間隔Ｇだけ下側に位置するように、ガイドローラ３６の位置を規制している。
【００９１】
また、媒体鑑別装置１３は、押付部３５を介して、スプリング３５Ｂによって、ガイドローラ３６を磁気センサ３４の方向（ここでは、上方向）に適正な押圧力で付勢している。ここで、適正な押圧力とは、磁気センサ３４の検出面の摩耗を促進させることのない、強過ぎない値の圧力であるとともに、磁気センサ３４の検出精度を低下させることのない、弱過ぎない値の圧力を意味している。
【００９２】
このような媒体鑑別装置１３は、紙幣の搬送時に、第１搬送部２５及び第２搬送部２７による紙幣の走行に追従してガイドローラ３６を回転させながら、磁気センサ３４の磁気検出素子３４Ａによって紙幣の磁気を検出する。そして、媒体鑑別装置１３は、磁気検出部２６による検出結果と光学検出部２８による検出結果とに基づいて、制御部２０で紙幣の金種や真偽を鑑別する。
【００９３】
ただし、回転軸３６Ａは、搬送ローラ３１の軸３１Ａと同様に、図示せぬ駆動ギヤ等の伝達機構に連結された構成にすることができる。この場合に、媒体鑑別装置１３は、伝達機構を介して図示せぬ駆動モータから駆動力を回転軸３６Ａに伝達させる。これによって、媒体鑑別装置１３は、回転軸３６Ａと一体にガイドローラ３６を回転させて、紙幣を搬送する。
【００９４】
＜ガイドローラの取り外し方法＞
以下、図８〜図１０を参照して、ガイドローラ３６の取り外し方法につき説明する。図８〜図１０は、それぞれ、ガイドローラ３６の取り外し方法の一例を示す図である。図８（ａ）は、磁気検出部２６付近を左側から見た構成を示している（図９（ａ）及び図１０（ａ）も同様）。また、図８（ｂ）は、媒体鑑別装置１３の下部ユニット２３を図８（ａ）に示す線Ｂ１に沿って切断した切断面を前側から見た構成を示している（図９（ｂ）及び図１０（ｂ）も同様）。
【００９５】
図８は、ガイドローラ３６が下部ユニット２３に取り付けられているときの構成を示している。図８に示す構成において、押付部３５は、溝形成部１０３が案内部２３１の内部に挿入されているため、案内部２３１によって左右方向（すなわち、ガイドローラ３６の軸方向）への移動が規制された状態になっている。したがって、押付部３５は、左右方向に移動不能な状態になっている。すなわち、押付部３５は、下部ユニット２３の開口部２３Ａから引き抜くことができない状態になっている。
【００９６】
また、押付部３５は、スプリングケース３５Ｃが下部ユニット２３に取り付けられているため、押付部３５を移動させるための空間が下側に確保されていない状態になっている。したがって、押付部３５は、下方向に移動不能な状態になっている。
【００９７】
ここで、作業者が、例えば保守作業を行うために、下部ユニット２３からガイドローラ３６を取り外すものとする。この場合に、作業者は、まず、スプリングケース３５Ｃの取り外しツマミ３５Ｆを挟持して、スナップフィットの嵌合部３５Ｄを開口させる。これによって、スプリングケース３５Ｃは、スナップフィットの嵌合部３５Ｄと取付部５５との嵌合を解除させることが可能な状態になる。
【００９８】
作業者は、スナップフィットの嵌合部３５Ｄと取付部５５との嵌合を解除して、下部ユニット２３からスプリングケース３５Ｃを取り外す。このとき、スプリング３５Ｂは、スプリングケース３５Ｃと一緒に下部ユニット２３から取り外される。
【００９９】
図９は、下部ユニット２３からスプリングケース３５Ｃ及びスプリング３５Ｂを取り外したときの構成を示している。図９に示す構成において、押付部３５は、スプリングケース３５Ｃが下部ユニット２３から取り外されたため、押付部３５を移動させるための空間が下側に確保された状態になっている。したがって、押付部３５は、下方向に移動可能な状態になっている。この後、作業者は、押付部３５を下方向に移動させる。
【０１００】
図１０は、押付部３５が下方向に移動させられたときの構成を示している。図１０に示す構成において、押付部３５は、溝形成部１０３が案内部２３１の外部に出るため、案内部２３１による左右方向への移動が規制されていない状態になっている。したがって、押付部３５は、左右方向に移動可能な状態になっている。この後、作業者は、押付部３５を左右方向に移動させる。すなわち、作業者は、押付部３５を下部ユニット２３の開口部２３Ａから引き抜く。これにより、ガイドローラ３６が、押付部３５と一緒に下部ユニット２３から取り外される。
【０１０１】
このようにしてガイドローラ３６の取り外し作業が完了する。
なお、ガイドローラ３６の取り付け作業を行う場合には、作業者は、ガイドローラ３６の取り外し作業とは逆の手順を行う。
【０１０２】
媒体鑑別装置１３は、このようなガイドローラ３６の取り外し作業及び取り付け作業を可能にするために、開口部２３Ａの下側の矩形部１１２（図６参照）の横幅が押付部３５の幅広な矩形部１０２の横幅よりも幅広な値に設定されている。
【０１０３】
かかる構成において、媒体鑑別装置１３は、スナップフィットの嵌合部３５Ｄを取付部５５に嵌合させたり、又は、嵌合を解除させたりすることによって、スプリングケース３５Ｃの取り付け作業や取り外し作業を容易に行うことができる。その結果、媒体鑑別装置１３は、ガイドローラ３６の取り付け作業や取り外し作業を容易化することができる。これにより、媒体鑑別装置１３は、ガイドローラ３６の清掃のし易さを向上させることができる。
【０１０４】
また、作業者は、磁石を有するねじ回し用のドライバー等の工具を用いることなく、手作業のみで、ガイドローラ３６の取り付け作業や取り外し作業を行うことができる。そのため、媒体鑑別装置１３は、保守作業の効率を向上させることができる。しかも、媒体鑑別装置１３は、磁石を有するねじ回し用のドライバー等の工具が用いられることによって、磁気センサ３４の周囲に着磁し、その結果、磁気センサ３４に故障が発生することを低減することもできる。
【０１０５】
また、媒体鑑別装置１３は、押付部３５によって、ガイドローラ３６の上端が磁気センサ３４の検出面から紙幣の１枚分の厚さとほぼ同等の間隔Ｇだけ下側に位置するように、ガイドローラ３６の位置を規制する構成になっている。さらに、媒体鑑別装置１３は、押付部３５を介して、スプリング３５Ｂによって、ガイドローラ３６を磁気センサ３４の方向（ここでは、上方向）に適正な押圧力で付勢する構成になっている。このような媒体鑑別装置１３は、スプリングケース３５Ｃを取り外すだけで、容易に、ガイドローラ３６の位置の規制を解除することができる。また、媒体鑑別装置１３は、従来の媒体鑑別装置と異なり、押付部３５及びスプリング３５Ｂとともにスプリングケース３５Ｃを下部ユニット２３に取り付けるだけで、容易に、適正な押圧力が紙幣にかかるように、ガイドローラ３６を装置に取り付けることができる。
【０１０６】
また、本実施形態１では、押付部３５は、ボールベアリングの軸受３５Ａの周囲に樹脂材を射出成形させることによって、軸受３５Ａと一体成形で形成されている。これにより、押付部３５は、軸受３５Ａの嵌め込み部にガタツキのない、高い寸法精度（特に、ガイドローラ３６の上端が磁気センサ３４の検出面から紙幣の１枚分の厚さとほぼ同等の間隔Ｇだけ下側に位置するように、ガイドローラ３６の位置を規制する寸法精度）を実現することができる。媒体鑑別装置１３は、このような押付部３５を用いているため、これによっても、磁気センサ３４の検出面の摩耗を抑制することができるとともに、磁気センサ３４による紙幣の磁気の検出精度を向上させることができる。
【０１０７】
なお、媒体鑑別装置１３は、ガイドローラ３６以外の他のローラに対しても、ガイドローラ３６と同様の構造にすることができる。これにより、媒体鑑別装置１３は、他のローラに対しても、ガイドローラ３６と同様の効果を得ることができる。
【０１０８】
以上の通り、本実施形態１に係る媒体鑑別装置１３によれば、ガイドローラ３６を含む各種のローラの清掃のし易さを向上させることができる。
【０１０９】
［実施形態２］
実施形態１に係る媒体鑑別装置１３は、下部ユニット２３とスプリングケース３５Ｃとを用いる構成になっている。
これに対し、本実施形態２では、下部ユニット２３とは異なる構造の下部ユニット１２３と、スプリングケース３５Ｃとは異なる構造のスプリングケース１３５Ｃとを用いる媒体鑑別装置１３Ａを提供する。
【０１１０】
以下、図１１〜図１３を参照して、本実施形態２に係る媒体鑑別装置１３Ａの構成につき説明する。図１１は、媒体鑑別装置１３Ａの磁気検出部２６付近の構成を示す図である。図１１（ａ）は、媒体鑑別装置１３Ａの磁気検出部２６付近を左側から見た場合の下部ユニット１２３及びスプリングケース１３５Ｃの構成を示しており、また、図１１（ｂ）は、媒体鑑別装置１３Ａの下部ユニット１２３を図１１（ａ）に示す線Ｃ１に沿って切断した切断面を前側から見た構成を示している。図１２は、媒体鑑別装置１３Ａのスプリングケース１３５Ｃの構成を示す図である。図１２（ａ）は、スプリングケース１３５Ｃの斜視形状を示しており、図１２（ｂ）は、スプリングケース１３５Ｃの側面視形状を示しており、図１２（ｃ）は、スプリングケース１３５Ｃの上面視形状を示している。図１３は、媒体鑑別装置１３Ａの下部ユニット１２３とスプリングケース１３５Ｃとの関係を示す図である。図１３（ａ）は、媒体鑑別装置１３Ａの下部ユニット１２３の突起部１５３の斜視形状を示しており、図１３（ｂ）は、スプリングケース１３５Ｃの嵌合部１３５Ｄとして機能する溝５０５と下部ユニット１２３の突起部１５３とを嵌合させた構成を示している。なお、図１３（ｂ）は、押付部３５（図１１参照）とスプリング３５Ｂ（図１１参照）とを除外して示している。
【０１１１】
図１１に示すように、本実施形態２に係る媒体鑑別装置１３Ａは、実施形態１に係る媒体鑑別装置１３と比較すると、下部ユニット２３の代わりに、下部ユニット１２３を用いるとともに、スプリングケース３５Ｃの代わりに、スプリングケース１３５Ｃを用いる点で相違している。
【０１１２】
実施形態１の下部ユニット２３は、突起部５３を備えている（図６参照）。実施形態１の突起部５３は、縦幅（上下方向の幅）が比較的大きく設定され、また、開口部５４が形成されることによって取付部５５が形成された構成になっている。また、実施形態１のスプリングケース３５Ｃは、嵌合部３５Ｄを下部ユニット２３の取付部５５に嵌合させるスナップフィット構造になっている。
【０１１３】
これに対して、本実施形態２の下部ユニット１２３は、実施形態１の突起部５３（図６参照）の代わりに、突起部１５３を備えている（図１１参照）。本実施形態２の突起部１５３は、実施形態１の突起部５３（図６参照）と同様に、上側に突出するように、下部ユニット１２３の底部５１の上面の左端部及び右端部に形成されている。ただし、本実施形態２の突起部１５３は、実施形態１の突起部５３（図６参照）よりも（上下方向の幅）が小さく設定され、また、開口部５４（図６参照）が形成されておらず、取付部５５（図６参照）も形成されていない構成になっている。また、本実施形態２のスプリングケース１３５Ｃは、嵌合部１３５Ｄとして機能する溝５０５を備えており、溝５０５を下部ユニット１２３の突起部１５３に嵌合させる溝構造になっている（図１１参照）。
【０１１４】
図１２（ａ）〜図１２（ｃ）に示すように、スプリングケース１３５Ｃは、前後方向に延在する２つの側板５０１，５０２と、２つの側板５０１，５０２を連結する連結部５０３とを備えている。
【０１１５】
側板５０１，５０２は、互いの対向面で下部ユニット１２３の突起部１５３を挟み込む構成要素である。側板５０１は、突起部１５３の外側に配置される。一方、側板５０２は、突起部１５３の内側に配置される。
【０１１６】
側板５０１，５０２は、ともに、直方体状の形状を呈している。側板５０１，５０２は、互いに対向する対向面を備えている。各対向面は、平坦面になっている。ここでは、側板５０１，５０２は、各対向面が平行になるように、配置されているものとして説明する。
【０１１７】
側板５０１の縦幅（上下方向の幅）は、側板５０２の縦幅と同等な値に設定されている。ただし、側板５０１の縦幅は、側板５０２の縦幅と異なる値に設定することもできる。
【０１１８】
側板５０２の前後方向の幅は、下部ユニット１２３の突起部５２に形成された開口部２３Ａ（図１３（ａ）参照）の前後方向の幅よりも幅狭な値に設定されている。側板５０１の前後方向の幅は、その側板５０２の前後方向の幅よりも幅広な値に設定されている。側板５０１の前後方向の幅は、好ましくは、下部ユニット１２３の突起部５２に形成された開口部２３Ａ（図１３（ａ）参照）の前後方向の幅よりも幅広な値に設定されているとよい。
【０１１９】
側板５０１，５０２の左右方向の幅は、任意の値に設定されている。
側板５０１，５０２の各幅は、所望の強度を確保することができる幅となっている。
【０１２０】
連結部５０３の左右方向の幅は、下部ユニット１２３の突起部１５３の左右方向の幅の最も薄い箇所（ここでは、突起部１５３の前端部及び後端部の幅の薄い方）の幅よりも若干幅広な値に設定されている。
【０１２１】
連結部５０３の上面には、スプリング３５Ｂを支持する支持部５０４が形成されている。スプリングケース１３５Ｃは、連結部５０３の上面で押付部３５の上下方向の移動量を制限することができるように、適切に設計されている。
【０１２２】
スプリングケース１３５Ｃは、２つの側板５０１，５０２の互いの対向面と、連結部５０３の下面とによって、嵌合部１３５Ｄとして機能する溝５０５を形成している。
【０１２３】
図１３（ａ）に示すように、下部ユニット１２３は、突起部１５３を備えている。突起部１５３は、溝５０５を嵌合させることによって、スプリングケース１３５Ｃを下部ユニット１２３に取り付ける取付部として機能する。
【０１２４】
突起部１５３は、上側に突出するように、下部ユニット１２３の底部５１の上面の左端部及び右端部に形成されている。突起部１５３は、下部ユニット１２３の突起部５２に形成された開口部２３Ａの下側から内部側に向けて突出するように、形成されている。突起部１５３は、突起部５２と同様に、前後方向に延在するように形成されている。突起部１５３は、側板５０１に当接する当接面と側板５０２に当接する当接面とを備えている。各当接面は、平坦面になっている。
【０１２５】
ここでは、溝５０５の左右方向の幅は、溝５０５の前端部から後端部に亘って均一になっているものとして説明する。また、ここでは、突起部１５３の左右方向の幅は、突起部１５３の前端部よりも後端部で広くなっているものとして説明する。つまり、突起部２５３の左右方向の幅は、突起部１５３の前端部が最も薄く、突起部１５３の後端部が最も厚くなるように、設定されている。ただし、突起部１５３の左右方向の幅は、逆に、突起部１５３の後端部よりも前端部で広くなるように、設定することもできる。
【０１２６】
なお、溝５０５の左右方向の幅は、溝５０５を構成する側板５０１，５０２の対向面の間隔を意味している。溝５０５の左右方向の幅は、連結部５０３の左右方向の幅と同じである。
【０１２７】
かかる構成において、スプリングケース１３５Ｃを下部ユニット１２３に取り付ける場合に、まず、作業者は、スプリングケース１３５Ｃの溝５０５を下部ユニット１２３の突起部１５３の前端部（幅の薄い部分）に嵌合させる。すなわち、作業者は、２つの側板５０１，５０２で下部ユニット１２３の突起部１５３の前端部（幅の薄い部分）を挟持させる。次に、作業者は、その状態で、突起部１５３の延在方向（ここでは、前後方向）に沿ってスプリングケース１３５Ｃを移動させる。具体的には、作業者は、スプリングケース１３５Ｃを後側に向けて押し込む。
【０１２８】
突起部１５３の左右方向の幅は、突起部１５３の前端部よりも後端部で広くなっている。そのため、作業者がスプリングケース１３５Ｃを後側に向けて押し込むに従って、溝５０５と突起部１５３との嵌合が強固になる。これにより、図１３（ｂ）に示すように、スプリングケース１３５Ｃは、下部ユニット１２３に取り付けられる。
【０１２９】
なお、溝５０５の左右方向の幅と突起部１５３の左右方向の幅との関係は、逆であってもよい。具体的には、溝５０５の左右方向の幅が溝５０５の前端部よりも後端部で狭くなっている（又は、逆に、溝５０５の後端部よりも前端部で狭くなっている）とともに、突起部１５３の左右方向の幅が突起部１５３の前端部から後端部に亘って均一になっていてもよい。
【０１３０】
このようなスプリングケース１３５Ｃは、突起部１５３に嵌合される溝５０５を備えるだけの単純な構成になっている。そのため、スプリングケース１３５Ｃは、サイズ（特に、高さ方向のサイズ）を比較的小さくすることができる。
【０１３１】
このようなスプリングケース１３５Ｃは、実施形態１のスプリングケース３５Ｃのようなスナップフィット構造の支持部材を取り付けるための空間を押付部３５の下側に確保することができない場合にも、好適に用いることができる。つまり、スプリングケース１３５Ｃは、本実施形態２の下部ユニット１２３のように、実施形態１の下部ユニット２３よりも小型化された下部ユニットにも適用することができる。
【０１３２】
換言すれば、媒体鑑別装置１３Ａは、スプリングケース１３５Ｃを用いることにより、実施形態１に係る媒体鑑別装置１３の下部ユニット２３よりも、下部ユニット１２３を小型化することができる。
【０１３３】
以上の通り、本実施形態２に係る媒体鑑別装置１３Ａによれば、実施形態１に係る媒体鑑別装置１３と同様に、ガイドローラ３６を含む各種のローラの清掃のし易さを向上させることができる。
しかも、媒体鑑別装置１３Ａによれば、実施形態１に係る媒体鑑別装置１３の下部ユニット２３よりも、下部ユニット１２３を小型化することができる。
【０１３４】
［実施形態３］
実施形態２に係る媒体鑑別装置１３Ａは、下部ユニット１２３とスプリングケース１３５Ｃとを用いる構成になっている。
これに対し、本実施形態３では、下部ユニット１２３とは異なる構造の下部ユニット２２３と、スプリングケース１３５Ｃとは異なる構造のスプリングケース２３５Ｃとを用いる媒体鑑別装置１３Ｂを提供する。
【０１３５】
本実施形態２の下部ユニット１２３は、突起部１５３が前後方向に延在するように形成されている。スプリングケース１３５Ｃは、その突起部１５３に取り付けられる構成になっている。
これに対し、本実施形態３の下部ユニット２２３は、突起部２５３が左右方向に延在するように形成されている。スプリングケース２３５Ｃは、その突起部２５３に取り付けられる構成になっている。
【０１３６】
以下、図１４〜図１６を参照して、本実施形態３に係る媒体鑑別装置１３Ｂの構成につき説明する。図１４は、媒体鑑別装置１３Ｂの磁気検出部２６付近の構成を示す図である。図１４（ａ）は、媒体鑑別装置１３Ｂの磁気検出部２６付近を左側から見た場合の下部ユニット２２３及びスプリングケース２３５Ｃの構成を示しており、また、図１４（ｂ）は、媒体鑑別装置１３Ｂの下部ユニット２２３を図１４（ａ）に示す線Ｄ１に沿って切断した切断面を前側から見た構成を示している。図１５は、媒体鑑別装置１３Ｂのスプリングケース２３５Ｃの構成を示す図である。図１５（ａ）は、スプリングケース２３５Ｃの斜視形状を示しており、図１５（ｂ）は、スプリングケース２３５Ｃの側面視形状を示しており、図１５（ｃ）は、スプリングケース２３５Ｃの上面視形状を示している。図１６は、媒体鑑別装置１３Ｂの下部ユニット２２３とスプリングケース２３５Ｃとの関係を示す図である。図１６（ａ）は、媒体鑑別装置１３Ｂの下部ユニット２２３の突起部２５３の斜視形状を示しており、図１６（ｂ）は、スプリングケース２３５Ｃの嵌合部２３５Ｄとして機能する溝６０５と下部ユニット２２３の突起部２５３とを嵌合させた構成を示している。なお、図１６（ｂ）は、押付部３５（図１４参照）とスプリング３５Ｂ（図１４参照）とを除外して示している。
【０１３７】
図１４に示すように、本実施形態３に係る媒体鑑別装置１３Ｂは、実施形態２に係る媒体鑑別装置１３Ａと比較すると、下部ユニット１２３の代わりに、下部ユニット２２３を用いるとともに、スプリングケース１３５Ｃの代わりに、スプリングケース２３５Ｃを用いる点で相違している。
【０１３８】
実施形態２に係る媒体鑑別装置１３Ａは、下部ユニット１２３の突起部１５３が前後方向に延在するように形成されており、スプリングケース１３５Ｃがその突起部１５３に取り付けられる構成になっている（図１１参照）。
【０１３９】
これに対して、本実施形態３の媒体鑑別装置１３Ｂは、下部ユニット２２３の突起部２５３が左右方向に延在するように形成されており、スプリングケース２３５Ｃがその突起部２５３に取り付けられる構成になっている（図１４参照）。
【０１４０】
図１５（ａ）〜図１５（ｃ）に示すように、スプリングケース２３５Ｃは、左右方向に延在する２つの側板６０１，６０２と、２つの側板６０１，６０２を連結する連結部６０３とを備えている。
【０１４１】
側板６０１，６０２は、互いの対向面で下部ユニット２２３の突起部２５３を挟み込む構成要素である。側板６０１，６０２は、少なくとも挿入部分が下部ユニット２２３の突起部５２に形成された開口部２３Ａ（図１６（ｂ）参照）の内部に挿入される構成になっている。ここで、「挿入部分」とは、他の部位よりも先に開口部２３Ａの内部に挿入される部位を意味している。
【０１４２】
側板６０１，６０２は、ともに、直方体状の形状を呈している。側板６０１，６０２は、互いに対向する対向面を備えている。各対向面は、平坦面になっている。ここでは、側板６０１，６０２は、各対向面が平行になるように、配置されているものとして説明する。
【０１４３】
側板６０１の縦幅（上下方向の幅）は、側板６０２の縦幅と同等な値に設定されている。ただし、側板６０１の縦幅は、側板６０２の縦幅と異なる値に設定することもできる。
【０１４４】
側板６０１，６０２の前後方向の幅は、任意の値に設定されている。ただし、側板６０１の前後方向の幅と側板６０２の前後方向の幅と連結部６０３の前後方向の幅とを合計したスプリングケース２３５Ｃの全体の前後方向の幅は、下部ユニット２２３の突起部５２に形成された開口部２３Ａ（図１６（ａ）参照）の前後方向の幅よりも幅狭な値に設定されている。
【０１４５】
側板６０１の左右方向の幅は、側板６０２の左右方向の幅と同等な値に設定されている。ただし、側板６０１の左右方向の幅は、側板６０２の左右方向の幅と異なる値に設定することもできる。
側板６０１，６０２の各幅は、所望の強度を確保することができる幅となっている。
【０１４６】
連結部６０３の前後方向の幅は、下部ユニット２２３の突起部２５３の前後方向の幅の最も薄い箇所（ここでは、突起部２５３の下部ユニット２２３の端部側に位置する箇所）の幅よりも若干幅広な値に設定されている。
【０１４７】
連結部６０３の上面には、スプリング３５Ｂを支持する支持部６０４が形成されている。スプリングケース２３５Ｃは、連結部６０３の上面で押付部３５の上下方向の移動量を制限することができるように、適切に設計されている。
【０１４８】
スプリングケース２３５Ｃは、２つの側板６０１，６０２の互いの対向面と、連結部６０３の下面とによって、嵌合部２３５Ｄとして機能する溝６０５を形成している。
【０１４９】
図１６（ａ）に示すように、下部ユニット２２３は、突起部２５３を備えている。突起部２５３は、溝６０５を嵌合させることによって、スプリングケース２３５Ｃを下部ユニット２２３に取り付ける取付部として機能する。
【０１５０】
突起部２５３は、上側に突出するように、下部ユニット２２３の底部５１の上面の左端部及び右端部に形成されている。突起部２５３は、下部ユニット２２３の突起部５２に形成された開口部２３Ａの下側から内部側に向けて突出するように、形成されている。突起部２５３は、突起部５２と異なり、左右方向に延在するように形成されている。突起部２５３は、側板６０１に当接する当接面と側板６０２に当接する当接面とを備えている。各当接面は、平坦面になっている。
【０１５１】
ここでは、溝６０５の前後方向の幅は、溝６０５の左端部から右端部に亘って均一になっているものとして説明する。また、ここでは、突起部２５３の前後方向の幅は、下部ユニット２２３の端部側よりも内部側で広くなっているものとして説明する。つまり、突起部２５３の前後方向の幅は、下部ユニット２２３の端部側に位置する箇所が最も薄く、下部ユニット２２３の内部側に位置する箇所が最も厚くなるように、設定されている。
【０１５２】
なお、溝６０５の前後方向の幅は、溝６０５を構成する側板６０１，６０２の対向面の間隔を意味している。溝６０５の前後方向の幅は、連結部６０３の前後方向の幅と同じである。
【０１５３】
かかる構成において、スプリングケース２３５Ｃを下部ユニット２２３に取り付ける場合に、まず、作業者は、スプリングケース２３５Ｃの溝６０５の挿入部分を下部ユニット２２３の突起部２５３に嵌合させる。すなわち、作業者は、２つの側板６０１，６０２の挿入部分で下部ユニット２２３の突起部２５３を挟持させる。次に、作業者は、その状態で、突起部２５３の延在方向（ここでは、左右方向）に沿ってスプリングケース２３５Ｃを移動させる。具体的には、作業者は、スプリングケース２３５Ｃを下部ユニット２２３の内部側に向けて押し込む。
【０１５４】
突起部２５３の前後方向の幅は、下部ユニット２２３の端部側よりも内部側で広くなっている。そのため、作業者がスプリングケース２３５Ｃを下部ユニット２２３の内部側に向けて押し込むに従って、溝６０５と突起部２５３との嵌合が強固になる。これにより、図１６（ｂ）に示すように、スプリングケース２３５Ｃは、下部ユニット２２３に取り付けられる。
【０１５５】
なお、溝６０５の前後方向の幅と突起部２５３の前後方向の幅との関係は、逆であってもよい。具体的には、溝６０５の前後方向の幅が溝６０５の挿入部分よりも作業者の手元に近い部分で狭くなっているとともに、突起部２５３の前後方向の幅が下部ユニット１２３の端部側から内部側に亘って均一になっていてもよい。
【０１５６】
このようなスプリングケース２３５Ｃは、突起部２５３に嵌合される溝６０５を備えるだけの単純な構成になっている。そのため、スプリングケース２３５Ｃは、実施形態２のスプリングケース１３５Ｃと同様に、サイズ（特に、高さ方向のサイズ）を比較的小さくすることができる。
【０１５７】
このようなスプリングケース２３５Ｃは、実施形態１のスプリングケース３５Ｃのようなスナップフィット構造の支持部材を取り付けるための空間を押付部３５の下側に確保することができない場合にも、好適に用いることができる。つまり、スプリングケース２３５Ｃは、本実施形態３の下部ユニット２２３のように、実施形態１の下部ユニット２３よりも小型化された下部ユニットにも適用することができる。
【０１５８】
換言すれば、媒体鑑別装置１３Ｂは、スプリングケース２３５Ｃを用いることにより、実施形態２に係る媒体鑑別装置１３Ａと同様に、実施形態１に係る媒体鑑別装置１３の下部ユニット２３よりも、下部ユニット２２３を小型化することができる。
【０１５９】
以上の通り、本実施形態３に係る媒体鑑別装置１３Ｂによれば、実施形態１，２に係る媒体鑑別装置１３，１３Ａと同様に、ガイドローラ３６を含む各種のローラの清掃のし易さを向上させることができる。
しかも、媒体鑑別装置１３Ｂによれば、実施形態２に係る媒体鑑別装置１３Ａと同様に、実施形態１に係る媒体鑑別装置１３の下部ユニット２３よりも、下部ユニット１２３を小型化することができる。
【０１６０】
なお、本発明は、前記した実施形態に限定されることなく、本発明の要旨を逸脱しない範囲で種々の変更や変形を行うことができる。
【０１６１】
例えば、前記した実施形態は、本発明の要旨を分かり易く説明するために詳細に説明したものである。そのため、本発明は、必ずしも説明した全ての構成を備えるものに限定されるものではない。また、本発明は、ある実施形態の構成の一部を他の実施形態の構成に追加したり、置き換えたりすることができる。また、本発明は、ある実施形態の構成から一部の構成を削除することができる。
【０１６２】
また、例えば、本発明は、媒体（主に紙幣）を鑑別する機能を有する媒体取扱装置であれば、金融機関や流通機関で用いられている現金自動預け払い機（ＡＴＭ）だけでなく、交通機関や流通機関で用いられている発券機や、その他の装置に利用することができる。
【符号の説明】
【０１６３】
１    媒体取扱装置（現金自動預け払い機）
２，２９Ａ    筺体
２Ａ    前面
３    接客部
４    硬貨入出金口
５    紙幣入出金口
６    通帳挿入口
７    カード挿入口
８    表示操作部
１０，２０    制御部
１２    搬送部
１３，１３Ａ，１３Ｂ    媒体鑑別装置（鑑別部）
１４    一時保留部
１５    紙幣貯蔵部
１６    紙幣収納庫
１７    リジェクト庫
２１    筺体フレーム
２２    上部ユニット
２３，１２３，２２３    下部ユニット
２３Ａ，５４    開口部
２４    搬送路
２５    第１搬送部
２６    磁気検出部
２７    第２搬送部
２８    光学検出部
２８Ａ，２８Ｂ    画像センサ
２９    厚み検出部
３１，３７    搬送ローラ
３１Ａ，３２，３７Ａ，３８，４１Ａ，４２Ａ    軸
３１Ｂ，３７Ｂ    ゴムローラ
３３，３９    テンションローラ
３４    磁気センサ
３４Ａ    磁気検出素子
３５    押付部
３５Ａ    軸受
３５Ｂ，４５    スプリング（付勢部材）
３５Ｃ，１３５Ｃ，２３５Ｃ    スプリングケース（支持部材）
３５Ｄ，１３５Ｄ，２３５Ｄ    嵌合部
３５Ｅ，５０４，６０４    穴（支持部）
３５Ｆ    取り外しツマミ
３６    ガイドローラ
３６Ａ    回転軸
４１    基準ローラ
４２    厚み検出ローラ
４３    ブラケット
４４    回動軸
４６    変位センサ
５１    底部
５２，５３，１５３，２５３    突起部
５５    取付部
１０１，１０２    矩形部
１０３    溝形成部
１０４，１０５    厚肉部
１１１，１１２    矩形部
２３１    案内部
５０１，５０２，６０１，６０２    側板
５０３，６０３    連結部
５０５，６０５    溝
Ｐ１，Ｐ２    位置決め部
【図１】
2016224788.tif 000003
【図２】
2016224788.tif 000004
【図３】
2016224788.tif 000005
【図４】
2016224788.tif 000006
【図５】
2016224788.tif 000007
【図６】
2016224788.tif 000008
【図７】
2016224788.tif 000009
【図８】
2016224788.tif 000010
【図９】
2016224788.tif 000011
【図１０】
2016224788.tif 000012
【図１１】
2016224788.tif 000013
【図１２】
2016224788.tif 000014
【図１３】
2016224788.tif 000015
【図１４】
2016224788.tif 000016
【図１５】
2016224788.tif 000017
【図１６】
2016224788.tif 000018